(57)【特許請求の範囲】
【請求項１】
時分割多重化（ＴＤＭ）ネットワークとパケット交換ネットワークとの間で、複数の信号プロトコルを含む通信ネットワークをインターフェースするための通信ゲートウェイにおいて、
前記ＴＤＭネットワークからのトラヒックを取り扱うよう、前記ＴＤＭネットワークに接続されたタイムスロットインターチェンジャーと、
前記タイムスロットインターチェンジャーに接続されており、前記タイムスロットインターチェンジャーによりタイムスロットの割り当てに従ってルーティングされたＤＳＰトラヒックを取り扱うと共に、パケット交換ネットワークを介してトランスポートするように前記ＴＤＭトラヒックをパケットに変換し、前記ＴＤＭネットワークを介したトランスポートをするよう、パケット交換ネットワークからパケットトランスポートを変換するための、複数のデジタル信号プロセッサ（ＤＳＰ）と、
前記タイムスロットインターチェンジャーによるタイムスロットの割り当てを制御し、前記ＤＳＰの作動を制御するよう、ソフトウェア命令によって作動するマイクロプロセッサとを備え、
前記マイクロプロセッサが前記複数のＤＳＰの各々へそれぞれのソフトウェアモジュールをダウンロードし、前記ＤＳＰの各々が複数の異なる信号プロトコルのうちの１つに従って通信トラヒックを取り扱うことができるようにし、前記複数のＤＳＰの各々の全てのチャンネルが複数の異なる信号プロトコルのうちの単一プロトコルに対応する通信トラヒックだけを処理するようになっており、
タイムスロットインターチェンジャーによるタイムスロットを割り当てることが、発呼中に信号プロトコルの変化が生じた場合に、この発呼を前記複数のＤＳＰのうちの異なるＤＳＰにルーティングするタイムスロット選択を有するように発呼を割り当てし直すことを含む、通信ゲートウェイ。
【請求項２】
時分割多重化（ＴＤＭ）ネットワークとパケット交換ネットワークとの間で、複数の信号プロトコルを含む通信ネットワークをインターフェースするための通信ゲートウェイにおいて、
プロセッサと、
前記ＴＤＭネットワークと前記パケット交換ネットワークとの間に接続されており、前記ＴＤＭトラヒックをパケットに変換すると共に、前記ＴＤＭネットワークを介したトランスポートをするためにパケットトラヒックを変換するための、複数のデジタル信号プロセッサ（ＤＳＰ）と、
ソフトウェア命令を含むメモリとを備え、これらソフトウェア命令が、
タイムスロットを割り当てることにより前記複数のＤＳＰの各々との間でＴＤＭトラヒックを割り当てる動作と、
前記複数のＤＳＰの各々へそれぞれのソフトウェアモジュールをダウンロードし、複数の異なる信号プロトコルのうちの１つに従って前記ＤＳＰの各々が通信トラヒックを取り扱うことができるようにする動作とをプロセッサが実行可能にするようになっており、
前記複数のＤＳＰの各々の全てのチャンネルが前記複数の異なる信号プロトコルの１つに対応する通信トラヒックだけを取り扱うようになっており、
ＴＤＭトラヒックを割り当てる前記動作が、発呼中に信号プロトコルの変化が生じた場合に、この発呼を前記複数のＤＳＰのうちの異なるＤＳＰにルーティングするタイムスロット選択を有するように発呼を割り当てし直すことを含む、通信ゲートウェイ。
【請求項３】
時分割多重化（ＴＤＭ）ネットワークとパケット交換ネットワークとの間で、複数の信号プロトコルを含む通信ネットワークをインターフェースするための通信ゲートウェイにおいて、
プロセッサと、
前記ＴＤＭネットワークと前記パケット交換ネットワークとの間に接続されており、前記ＴＤＭトラヒックをパケットに変換すると共に、前記ＴＤＭネットワークを介したトランスポートをするためにパケットトラヒックを変換するための、複数のデジタル信号プロセッサ（ＤＳＰ）と、
ソフトウェア命令を含むメモリとを備え、これらソフトウェア命令が、
タイムスロットを割り当てることにより前記複数のＤＳＰの各々との間でＴＤＭトラヒックを割り当てる動作と、
前記複数のＤＳＰの各々へそれぞれのソフトウェアモジュールをダウンロードし、複数の異なる信号プロトコルのうちの１つに従って前記ＤＳＰの各々が通信トラヒックを取り扱うことができるようにする動作とをプロセッサが実行可能にするようになっており、
前記複数のＤＳＰの各々の全てのチャンネルが前記複数の異なる信号プロトコルの１つに対応する通信トラヒックだけを取り扱うようになっており、
ＴＤＭトラヒックを割り当てる前記動作が、発呼に割り当てられたタイムスロットを再ルーティングすることにより、この発呼を前記複数のＤＳＰのうちの異なるＤＳＰに割り当てし直すことを含む、通信ゲートウェイ。
【請求項４】
時間分割多重化（ＴＤＭ）ネットワークとパケット交換ネットワークとの間で、複数の異なる信号プロトコルを含む通信トラヒックをインターフェースする方法であって、
タイムスロットを割り当てることにより、複数のデジタル信号プロセッサ（ＤＳＰ）の各々との間でＴＤＭトラヒックを割り当てる工程と、
前記複数のＤＳＰの各々にそれぞれのソフトウェアモジュールをダウンロードし、前記ＤＳＰの各々が前記複数の異なる信号プロトコルのうちの１つに従って通信トラヒックを取り扱うことができるようにする工程とを備え、
前記複数のＤＳＰの各々の全てのチャンネルが前記複数の異なる信号プロトコルのうちの１つに対応する通信トラヒックだけを処理するようになっており、
ＴＤＭトラヒックを割り当てる前記動作が、前記発呼中に信号プロトコルの変化が生じた場合に、この発呼を前記複数のＤＳＰのうちの異なるＤＳＰにルーティングするタイムスロット選択を有するように発呼を割り当てし直すことを含む、インターフェース方法。
【請求項５】
時間分割多重化（ＴＤＭ）ネットワークとパケット交換ネットワークとの間で、複数の異なる信号プロトコルを含む通信トラヒックをインターフェースする方法であって、
タイムスロットを割り当てることにより、複数のデジタル信号プロセッサ（ＤＳＰ）の各々との間でＴＤＭトラヒックを割り当てる工程と、
前記複数のＤＳＰの各々にそれぞれのソフトウェアモジュールをダウンロードし、前記ＤＳＰの各々が前記複数の異なる信号プロトコルのうちの１つに従って通信トラヒックを取り扱うことができるようにする工程とを備え、
前記複数のＤＳＰの各々の全てのチャンネルが前記複数の異なる信号プロトコルのうちの１つに対応する通信トラヒックだけを処理するようになっており、
ＴＤＭトラヒックを割り当てる操作が、発呼に割り当てられたタイムスロットを再ルーティングすることによって、この発呼を前記複数のＤＳＰの異なるＤＳＰに割り当てし直すことを含む、インターフェース方法。
【請求項６】
時分割多重化（ＴＤＭ）ネットワークとパケット交換ネットワークとの間で、複数の信号プロトコルを含む通信ネットワークをインターフェースするための通信ゲートウェイにおいて、
前記ＴＤＭネットワークからのトラヒックを取り扱うよう、前記ＴＤＭネットワークに接続されたタイムスロットインターチェンジャーと、
前記タイムスロットインターチェンジャーに接続されており、前記タイムスロットインターチェンジャーによりタイムスロットの割り当てに従ってルーティングされたＤＳＰトラヒックを取り扱うと共に、パケット交換ネットワークを介してトランスポートするように前記ＴＤＭトラヒックをパケットに変換し、前記ＴＤＭネットワークを介したトランスポートをするよう、パケット交換ネットワークからパケットトランスポートを変換するための、複数のデジタル信号プロセッサ（ＤＳＰ）と、
前記タイムスロットインターチェンジャーによるタイムスロットの割り当てを制御し、前記ＤＳＰの作動を制御するよう、ソフトウェア命令によって作動するマイクロプロセッサとを備え、
前記マイクロプロセッサが前記複数のＤＳＰの各々へそれぞれのソフトウェアモジュールをダウンロードし、前記ＤＳＰの各々が複数の異なる信号プロトコルのうちの１つに従って通信トラヒックを取り扱うことができるようにし、前記複数のＤＳＰの各々の全てのチャンネルが複数の異なる信号プロトコルのうちの単一プロトコルに対応する通信トラヒックだけを処理するようになっており、
タイムスロットインターチェンジャーによるタイムスロットを割り当てることが、発呼に割り当てられたタイムスロットを再ルーティングすることによって、この発呼を前記複数のＤＳＰの異なるＤＳＰに割り当てし直すことを含む、通信ゲームウェイ。
【発明の詳細な説明】
【０００１】
（発明の背景）
１．発明の分野
本発明は、一般的にはリソースの割り当てに使用されるデジタル信号プロセッサに関し、より詳細には、本発明はパケットネットワークを通して時間分割多重（ＴＤＭ）通信信号を送信するための多機能システムを実現するよう、フレキシブルにデジタル信号プロセッサごとに単一機能を制御し、割り当てるゲートウェイに関する。
【０００２】
２．背景情報
通信技術が進歩するにつれ、より安価で、より良好で、かつ多数の通信サービスに対する要求が高まってきた。過去において、オフィス用には別個の電話回線とファクシミリ回線とで十分であった。しかしながら今日では、１つの住居に対してさえも別個の電話回線およびファクシミリ回線では不十分である。今日の社会では、オフィスおよび住居では技術に合わせるために別個の電話回線、ファクシミリ回線およびデータ回線が必要である。
【０００３】
従って、通信サービスに対する要求が高まるにつれ、より多数の通信回線に対する要求も大きくなっている。社会がコンピュータの普及した社会となるにつれ、多数の通信回線が必用となることは大きな問題となりつつある。端的に言えば、今日の通信の要求はこれを満たすのが次第に困難となりつつある。
【０００４】
社会の要求の一部を満たすために、オフィスおよび住居は伝統的な手段、すなわち電話回線の代わりに衛星サービスのような別個の通信サービスに向きつつある。しかしながら、これら別個の通信サービスでも社会の要求を満たすには不十分である。電話会社は電話番号が不足状態になりつつあり、モデムはかつてない速さで陳腐化しつつあり、通信サービスに対する要求は、終わりが見えない状態で大きくなり続けている。
【０００５】
電話サービスを改善する１つの伝統的な方法は、時間分割多重（ＴＤＭ）電話ネットワークを使用することであった。ＴＤＭは割り当てられたタイムスロットをユーザーが使用しているか否かにかかわらず、システムに接続されたチャンネルごとに１つのタイムスロットを割り当てることに基づくものである。しかしながら、ＴＤＭ技術によって可能な改善をしても、電話システムはまだ高価であり、十分な通信サービスを提供できない。この結果、従来のＴＤＭ電話ネットワークから音声／ファックス／データ情報のような通信情報を搬送するために、パケットをベースとするネットワークに移行したいという要求がある。
【０００６】
パケットシステムは情報パケットを形成するために情報ペイロードにヘッダーを加え、希望するロケーションへ情報パケットを送るものである。これらパケットはサイズが可変でもよいし、固定されたサイズでもよい。１つのパケットにはめ込むのに情報が多すぎる場合、情報はいくつかのパケットに分解され、各パケットは後に一貫したファイルに組み立てできるように１つのヘッダーを有する。ヘッダーは最小限、パケットの送り先およびパケットの相対的順序を示す。希望された目的地で一旦パケットが受信されると、これらパケットは正しい順序に再び組み合わせられる。パケットに基づくシステムは高密度で、かつ低パワーであることが好ましい。
【０００７】
パワーに基づくネットワークを高密度、かつ低パワーとする条件は、チャンネルごとに多数の異なる機能を実行するフレキシブルなシステムを有したいという要求によって複雑となっている。目的は、チャンネルごとに種々の機能を実施できるシステムを得ることにある。例えば音声コーダ、ファックスモデムおよびデータモデムと共に使用できるだけでなく、異なる規格、あるいはバージョンにも適合するように作動できるシステムを有することが望ましい。
【０００８】
システムは異なるタイプの通信情報を処理するためにユニバーサルポートを使用する。これらの異なる通信情報を送るためにユニバーサルポートは、チャンネルごとで異なる機能に適合している。かかるシステムを製造するには、多数のチャンネルを通して異なる通信情報を処理するためのデジタル信号プロセッサ（ＤＳＰ）を使用する。１つの方法は多機能多チャンネルＤＳＰを使用することであり、この場合、すべてのＤＳＰチャンネルで、常時すべての機能が利用できる。すなわち各ＤＳＰでは、システムを実行するためのすべてのソフトウェアが設けられる。
【０００９】
図１を参照すると、ここには多機能多チャンネルＤＳＰシステムのアーキテクチャが示されている。この方法によれば、所定のＤＳＰで常時利用できるすべての機能を有するユニバーサルポートが実現されている。図示されているようにマイクロプロセッサ１００は特定の時間でどのＤＳＰ機能を実行するかを制御するＤＳＰ制御ソフトウェア１０２を含み、この場合、ＤＳＰでは常時、機能のすべてを利用できる。本例では、ＤＳＰ１０４は、Ｇ.７２９Ａ音声圧縮／逆圧縮１０６、ファックストラヒック１０８、Ｇ.７２３.１音声圧縮／逆圧縮１１０、またはモデムトラヒック１１２を処理するための機能ソフトウェアを実行できる。同様に、ＤＳＰ１１４もＧ.７２３.１音声圧縮／逆圧縮１１６、モデムトラヒック１１８、Ｇ.７２９Ａ音声圧縮／逆圧縮１２０またはファックストラヒック１２２を取り扱うための機能ソフトウェアを実行できる。
【００１０】
作動に際し、物理的デバイス、例えばモデム１２６、電話１２８およびファックスマシン１３０との間でやりとりされる情報はＴＤＭ入力１２４および処理のためのここのＤＳＰ（１０４、１１４）を通過する。ＴＤＭ入力１２４は物理的デバイスごとにタイムスロットを割り当てる。この場合、物理的デバイスが使用されているか否かにかかわらず、各物理的デバイスには１つのタイムスロットが割り当てられる。
【００１１】
マイクロプロセッサ１００内のＤＳＰ制御ソフトウェア１０２は各ＤＳＰ内のチャンネルの各々がどの機能を実行するように作動するのかを決定する。例えば、ＤＳＰ１０４は、チャンネル１でＧ.７２９Ａに従う音声圧縮／逆圧縮を、チャンネル２および３でファックス中継を、チャンネル４でＶ.９０モデムの実行を行うことができる。処理された情報はインターネットプロトコル（ＩＰ）ネットワーク１３２との間でやり取りされる。このＩＰネットワーク１３２はＷＡＮまたはＬＡＮタイプのＩＰネットワークでよい。
【００１２】
この方法の利点は、ＤＳＰ内の任意のチャンネルが構成されたアルゴリズムのいずれも実行できることである。一方、ＤＳＰを利用する際のこの方法の欠点は、個々のＤＳＰの大きいアレイ上でアルゴリズムの全てを常時利用できるようにするには高価につくということである。この方法もメモリおよびパワーの双方を非効率的に使用する。金額、スペースおよびパワーの点でコストの増加量は、チャンネル数とサポートをする機能の数の積に応じて決まる。
【００１３】
従って、従来の電話機器とパケットネットワークとの間をインターフェースし、電話ネットワーク情報を処理し、これをパケットに変換し、これらを効率的に行うゲートウェイが求められている。
【００１４】
（発明の概要）
本発明の目的は、ＴＤＭシステムからの通信情報をパケットネットワークを通して通信できるようにするゲートウェイを提供することにある。
本発明の別の目的は、ユニバーサルポートを使って、パケットネットワークを通し、種々の形態の通信信号を送ることができるようにすることにある。
【００１５】
本発明の更に別の目的は、各々のＤＳＰが特定のＤＳＰ内のチャンネルのすべてにおいて単一の機能を実行し、よってパケットネットワークを通し、通信情報を送信する、複数のＤＳＰを含む、単一機能、多チャンネルＤＳＰ機能を使用することにある。
【００１６】
本発明は、ＴＤＭシステムを通してパケットを送信できるようにするゲートウェイにある。このゲートウェイはソフトウェアによって制御される複数のＤＳＰを含むユニバーサルポートである。制御ソフトウェアは多数のチャンネルを通し、ＤＳＰがどの機能を実行するかを決定するようになっている。
【００１７】
上記目的の一部は、ＴＤＭネットワークとパケット交換ネットワークとの間で通信トラヒックをインターフェースするための通信ゲートウェイによって達成される。通信ゲートウェイは、タイムスロットインターチェンジャーと、複数のＤＳＰと、マイクロプロセッサコントローラとを含む。タイムスロットインターチェンジャーはＴＤＭネットワークからのトラヒックを取り扱うように接続されており、複数のＤＳＰはタイムスロットインターチェンジャーによるタイムスロットの割り当てに従ってルーティングされるＴＤＭトラヒックを取り扱うように接続されている。複数のＤＳＰはパケット交換ネットワークを介したトランスポートをするために、ＴＤＭトラヒックをパケットに変換し、ＴＤＭネットワークを介したトランスポートをするためにパケット交換ネットワークからのパケットトラヒックを変換するようになっている。マイクロプロセッサはタイムスロットインターチェンジャーによるタイムスロット割り当てを制御し、ＤＳＰの動作を制御するようにソフトウェア命令に従って作動する。マイクロプロセッサは複数のＤＳＰの各々にそれぞれのソフトウェアモジュールをダウンロードし、ＤＳＰの各々がそれぞれのタイプの信号プロトコルに従って通信トラヒックを取り扱いできるようにする。複数のＤＳＰの各々の全てのチャンネルは複数のタイプの信号プロトコルのうちの１つに対応する通信トラヒックしか取り扱わない。
【００１８】
上記目的のうちの他の目的は、ＴＤＭネットワークとパケット交換ネットワークとの間で通信トラヒックをインターフェースするようになっていう通信ゲートウェイによって達成される。この通信ゲートウェイは、プロセッサと、複数のＤＳＰと、ソフトウェア命令を記憶するためのメモリとを含む。複数のＤＳＰは、ＴＤＭネットワークとパケット交換ネットワークとの間に接続されており、ＴＤＭトラヒックをパケットに変換し、ＴＤＭネットワークを介したトランスポートをするためにパケットトラヒックを変換する。メモリ内に記憶されているソフトウェア命令は、プロセッサがＴＤＭトラヒックの割り当ておよびソフトウェアのダウンロードの動作を実行できるようにする。タイムスロットを割り当てることにより、複数のＤＳＰの各々との間でＴＤＭトラヒックが割り当てられる。複数のＤＳＰの各々にそれぞれのソフトウェアモジュールがダウンロードされ、ＤＳＰの各々がそれぞれのタイプの信号プロトコルに従って通信トラヒックを取り扱うことができるようにする。複数のＤＳＰの各々の全てのチャンネルは複数のタイプの信号プロトコルのうちの１つに対応する通信トラヒックしか取り扱わない。
【００１９】
上記目的の一部は、時間分割多重化（ＴＤＭ）ネットワークとパケット交換ネットワークとの間で通信トラヒックをインターフェースする方法によっても達成される。この方法に従った動作は上記ソフトウェアによってドライブされる動作に対応する。
【００２０】
以下、添付図面を参照しながら次の詳細な説明を検討すれば、本発明を理解できよう。
【００２１】
（発明の詳細な説明）
本発明はＴＤＭＡシステムを通してパケットを送ることができるようにするゲートウェイである。このゲートウェイはソフトウェアによって制御された複数のＤＳＰを含むユニバーサルポートである。制御用ソフトウェアはマルチチャンネルを通してＤＳＰがどの単一機能を実行するかを決定する。
【００２２】
本発明に係わるユニバーサルポートゲートウェイを実現するためのＤＳＰは、例えばテキサスインスツルメンツ社からモデル番号５４２０および５４９として商業的に入手できる。
【００２３】
図２を参照すると、ここには本発明の一実施例にかかわる単一機能、多チャンネルＤＳＰシステムのアーキテクチャが示されている。単一機能、多チャンネルシステムによってＤＳＰ内のすべてのチャンネル上で単一機能だけを実行することができ、よってＤＳＰごとのリソース条件が低減される。マイクロプロセッサ２００はＤＳＰ制御および割り当てソフトウェア２０２（以下、「制御ソフトウェア」と称す）と、ダウンロードモジュール２０４とを含む。ダウンロードモジュール２０４は、ファックスモジュール２０６と、モデムモジュール２０８、２１０と、Ｇ.７２９Ａ音声圧縮／逆圧縮モジュール２１２と、Ｇ.７２３.１音声圧縮／逆圧縮モジュール２１４とを含む。この実施例では、ダウンロードモジュール２０４は２つのモデムモジュール２０８および２１０を含み、これらモデムモジュールの各々は異なるプロトコルを処理するようになっている。一般的には、ダウンロードモジュール２０４は当技術分野で知られている任意の通信プロトコルまたは将来開発される通信プロトコルを処理するためのソフトウェアモジュールを含むことができる。
【００２４】
図示されるように、第１ＤＳＰ２１６はこのＤＳＰがダウンロードしたＧ.７２３.１音声圧縮／逆圧縮モジュール２１６を実行する。この第１ＤＳＰ２１６は、第１ＤＳＰ２１６内の全てのチャンネルにおいて１つの機能（すなわち音声信号の圧縮／逆圧縮）しか実行しない。第１ＤＳＰ２１６が４つのチャンネルを有する場合、これら４つのチャンネルの全てが音声圧縮／逆圧縮を取り扱う。同様に、第２ＤＳＰ２２０はダウンロードしたファックスモジュール２２２を実行する。この第２ＤＳＰ２２０はこの第２ＤＳＰ２２０内の全てのチャンネルで１つの機能（すなわちファックストラヒックの取り扱い）しか実行しない。しかしながら、第２ＤＳＰ２２０は多くのチャンネルを含み、これらチャンネルのいずれもファックス通信を取り扱うように作動する。
【００２５】
制御用ソフトウェア２０２は、どのＤＳＰでどの機能を実行するかを制御する。この制御用ソフトウェア２０２は通信情報を送信するためのタイムスロットも制御する。マルチチャンネルＤＳＰは単一機能を使用することによりシステムが特殊なリソースのプールを形成できるようにしている。
【００２６】
ユニバーサルポートへの着信呼は音声着信呼としてスタートする。すなわち制御用ソフトウェア２０２は音声処理ソフトウェアを実行しているＤＳＰに、この着信呼をルーティングする。電話の呼び出しモードが常に変わると仮定した場合、制御用ソフトウェア２０２は、その機能を処理するのに適したソフトウェアがロードされた別のＤＳＰへ着信呼をスイッチする。このスイッチ動作は２つの方法のうちの１つによって実行される。１つのスイッチ方法では、制御用ソフトウェア２０２が特定のＤＳＰへタイムスロットをルーティングし直さなければならない。他の方法は、全てのＤＳＰに全てのタイムスロットを一斉送信する方法である。この場合、制御用ソフトウェア２０２は必要な機能に基づき、ＤＳＰのタイムスロットの選択を制御する。
【００２７】
作動に際し、物理的デバイス、例えばモデム２２６、電話２２８およびファックス装置２３０との間でやり取りされる情報は、タイムスロットインターチェンジャー２２４を通って処理のために個々のＤＳＰ（２１６および２２０）へ送られる。タイムスロットインターチェンジャー２２４は個々の各物理的デバイスのためのタイムスロットを決定する。このタイムスロットインターチェンジャー２２４は物理的デバイスが使用されているか否かにかかわらず、各物理的デバイスに１つのタイムスロットを割り当てることによって、図１のＴＤＭ入力１２４と同じように作動できる。これとは異なり、上記好ましい方法と同じように、タイムスロットインターチェンジャー２２４が必要性に基づき、タイムスロットを割り当ててもよい。このタイムスロットインターチェンジャー２２４の制御インターフェースはマイクロプロセッサ２００に接続されている。
【００２８】
ＤＳＰ制御用ソフトウェア２０２は物理的デバイスのためのタイムスロットを決定し、同じダウンロードされたモジュールを作動している各ＤＳＰ内のチャンネルごとに、ＤＳＰの各々が作動して処理するのはどの機能であるかを決定する。図示されるように、第１ＤＳＰ２１６は、そのＤＳＰ２１６内の全てのチャンネルにおいてＧ.７２９Ａ音声圧縮／逆圧縮を処理するためのモジュール２１２を実行している。同じように、第２ＤＳＰ２２０はＤＳＰ２０６の全てのチャンネル上でファックストラヒックを処理するためのモジュール２２２を実行している。こうして処理された情報はインターネットプロトコル（ＩＰ）ネットワーク２３２（すなわちＷＡＮまたはＬＡＮタイプのＩＰネットワーク）との間でパケットとしてやり取りされる。
【００２９】
このタイプのシステムの利点は、チャンネルの数が多くなるにつれ、機能的に組織すべき処理を制限するトレードオフを実行できるようになることである。その理由は、利用可能な処理パワーの全てを使用する確率が通話ボリュームと共に増加するからである。
【００３０】
図３を参照すると、ここには２つの異なるアプローチに対するコスト分析グラフが示されている。このグラフは単一機能ＤＳＰのコスト曲線３０４と比較した多機能ＤＳＰのコスト曲線３０２を示している。このグラフによって示される分析は、３つの機能しかなく、この機能のうちの１つしか所定のＤＳＰの内部メモリに適合せず、これらＤＳＰは４チャンネルの処理しかできないと考えている。このグラフはチャンネルの数に応じたチャンネルごとのコストを示しており、チャンネルのカウント数が少なくなるにつれ、大ざっぱに言って１５チャンネル未満では、単一機能、マルチチャンネルＤＳＰのコストのほうが多機能、マルチチャンネルＤＳＰよりも高価となる。しかしながら、チャンネル数が増すにつれ（約１５チャンネルよりも多い場合）、単一機能、マルチチャンネルＤＳＰのほうがコスト的に効果的となる。従って、多数のチャンネルを使用する場合、単一機能、マルチチャンネルＤＳＰを選択するほうが優れている。
【００３１】
以上で、電話回線を介した、パケットに基づくネットワークを通してＴＤＭシステムからの通信情報を送信できるようにすると共に、ＴＤＭシステムによってトランスポートすべきパケットに基づくネットワークからパケットデータを受信するためのゲートウェイを参照して、本発明について説明した。
【００３２】
以上で、好ましい実施例に関連して本発明について説明したが、当業者であれば、本発明の範囲から逸脱することなく、これまで説明した発明について多数の変形および変更を行うことが可能であると理解できよう。本発明の範囲は特許請求の範囲のみによって限定されるものである。
【図面の簡単な説明】
【図１】  多機能、マルチチャンネルＤＳＰシステムアーキテクチャを示す。
【図２】  本発明の一実施例に係わる単一機能、マルチチャンネルＤＳＰシステムアーキテクチャを示す。
【図３】  多機能、マルチチャンネルＤＳＰシステムアーキテクチャと単一機能、多チャンネルＤＳＰシステムアーキテクチャとを比較したコスト分析を示す。
【図１】
0004365037.tif 000002
【図２】
0004365037.tif 000003
【図３】
0004365037.tif 000004